(57)【特許請求の範囲】
【請求項１】
固定具駆動部と、前記固定具駆動部へ接続されたハンドルとを有するハウジングと、
前記ハンドルを覆うグリップを形成し、固定具マガジンを形成する一対のクラムシェル形状部とを具備し、
前記グリップおよび前記固定具マガジンが、各前記クラムシェル形状部で一体化される固定具用動力工具。
【請求項２】
少なくとも一つの弾性的な構成部をさらに具備し、少なくとも一つの前記クラムシェル形状部は、前記構成部に対応する少なくとも一つの開口部を有し、前記固定具用動力工具への前記クラムシェル形状部の組立時において、少なくとも一つの前記構成部が、前記対応する開口部を通して突出する、請求項１に記載の固定具用動力工具。
【請求項３】
さらに、前記クラムシェル形状部の各々のためのグリップ部を有し、各前記グリップ部は複数の突出部分を有し、前記グリップ部は、前記固定具用動力工具への前記クラムシェル形状部の組立時において、前記ハンドルと前記クラムシェル形状部との間に位置するように構成配置される、請求項２に記載の固定具用動力工具。
【請求項４】
さらに、前記ハンドルのための終端キャップを有し、前記クラムシェル形状部は、前記クラムシェル形状部を固定するための固定具を無しで、前記固定具駆動部および前記終端キャップに固定されるように形成される、請求項１に記載の固定具用動力工具。
【請求項５】
各前記クラムシェル形状部は、前記終端キャップと係合するように形成された少なくとも一つの耳部を有する、請求項４に記載の固定具用動力工具。
【請求項６】
さらに、独立したベルトフックと、二つの異なる位置のどちらか一方の位置において、前記ベルトフックを取り外し可能に収容するように形成された前記終端キャップ上の細長い穴とを有する、請求項５に記載の固定具用動力工具。
【請求項７】
さらに、独立したベルトフックと、二つの異なる位置のどちらか一方の位置において、前記ベルトフックを取り外し可能に収容するように形成された各前記クラムシェル形状部上の細長い穴とを有する、請求項１に記載の固定具用動力工具。
【請求項８】
圧縮空気入り口を有する固定具用気体式動力工具において、
固定具駆動部を囲むハウジングと、前記固定具駆動部に接続された第一の端部と前記圧縮空気入り口に接続された第二の端部とを有するハンドルと、
前記ハンドルを覆うグリップを形成し、固定具マガジンを形成する一対のクラムシェル形状部と、
を具備し、
前記グリップおよび前記固定具マガジンが、各前記クラムシェル形状部で一体化される、固定具用気体式動力工具。
【請求項９】
前記ハンドルは、円筒形状である、請求項８に記載の固定具用気体式動力工具。
【請求項１０】
少なくとも一つの弾性的な構成部をさらに具備し、少なくとも一つの前記クラムシェル形状部は、前記構成部に対応する少なくとも一つの開口部を有し、前記固定具用動力工具への前記クラムシェル形状部の組立時において、少なくとも一つの前記構成部が、前記対応する開口部を通して突出する、請求項８に記載の固定具用気体式動力工具。
【請求項１１】
さらに、前記ハンドルのための終端キャップを有し、前記クラムシェル形状部は、前記クラムシェル形状部を固定するための固定具を無しで、前記固定具駆動部および前記終端キャップに固定されるように形成される、請求項８に記載の固定具用気体式動力工具。
【請求項１２】
各前記クラムシェル形状部は、前記終端キャップと係合するように形成された少なくとも一つの耳部を有する、請求項１１に記載の固定具用気体式動力工具。
【請求項１３】
さらに、独立したベルトフックと、二つの異なる位置のどちらか一方の位置において、前記ベルトフックを取り外し可能に収容するように形成された前記終端キャップ上の細長い穴とを有する、請求項１２に記載の固定具用気体式動力工具。
【請求項１４】
固定具駆動部を囲むハウジングと、前記固定具駆動部に接続されたハンドルと、
前記ハンドルを覆うグリップを形成し、固定具マガジンを形成する一対のクラムシェル形状部と、を具備し、
前記グリップおよび前記固定具マガジンが、各前記クラムシェル形状部で一体化され、
さらに、前記ハンドルのための終端キャップを具備し、前記クラムシェル形状部は、前記クラムシェル形状部を固定するための固定具を無しで、前記固定具駆動部および前記終端キャップに固定されるように形成され、
さらに、独立したベルトフックと、二つの異なる位置のどちらか一方の位置において、前記ベルトフックを取り外し可能に収容するように形成された前記終端キャップ上の細長い穴とを有する、固定具用駆動工具。
【発明の詳細な説明】
【０００１】
【発明の属する技術分野】
本発明は、全体的に、気体式、燃焼式、電気式または火薬式動力により動かされる固定具打ち込み工具に関し、特に、簡易化した構造を有するこのような工具に関する。
【０００２】
【従来の技術】
この形式の固定具打ち込み工具で、特に気体式動力工具は、金属ハウジングと、プラスチックまたは金属で作られ独立したマガジン部分とを有し、この独立したマガジン部分は、メインハウジングおよびハンドルへ各端部において取り付けられる。一般的に、固定具は、この取り付け部品の中で使用され、この取り付け部品は、製造工程に価格および組立時間を付加する。
【０００３】
このような固定具打ち込み工具のもう一つの設計因子は、工具の構造において、人間工学が大きな役割を果たすことである。使用者は、しばしば、日中の長期間、または、少なくとも断続的な使用での長期間、工具を握り締めている。従って、工具のバランスとグリップは、使用者の満足にとって重要である。理想的には、工具は、滑ること無しに容易に握れるべきである。従来の気体式工具の場合、ハンドルは、全体的に円筒状の金属管であり、この円筒状の金属管は、加圧された空気の経路の一部として機能する。この形式のハンドルの構造は、使用者が望むような人間工学的で効果的なグリップ特性を欠いている。弾力性があるまたはラバーのような、追加のスリーブまたはグリップが、気体式動力工具のために提供されていることは公知である（特許文献１，２参照）。しかし、そのようなグリップの欠点は、弾力性あるグリップスリーブが、場合によっては、ハンドルと相対的に回転してしまうことである。
【０００４】
燃焼により動力が供給される固定具打ち込み工具は、型成形で造られた２分割のハウジングを有することは公知である（特許文献３参照）。そのような工具において、２分割されたハウジングのそれぞれは、固定具駆動主要部、ハンドルおよびマガジンの一部分を有する。相対的に高い運用圧力を収容するために金属構造が使用されている気体式工具としては、この形式の構造は適しない。
【０００５】
固定具打ち込み工具のもう一つの設計基準は、工具を使用していない時に、使用者は、しばしば、自身のベルトに、または、作業現場の梯子または足場等の他の物に、工具を掛けることを必要とする。成形品、腰ながしおよび他の内装品を取り付けるために使用される工具の場合、工具を窮屈な場所に巧みに移動可能であることが重要である。従って、広く突出しているフックは、望ましくない。関連した目的は、作業状況や作業者が右利きか左利きかに依存して、工具のどちらの側部からも、工具を掛けることを可能にすることである。
【０００６】
【特許文献１】
米国特許第５，３３２，１５６号
【特許文献２】
米国特許第５，９５４，１４２号
【特許文献３】
米国特許第６，１７６，４１２号
【０００７】
【発明が解決しようとする課題】
従って、本発明の第一の目的は、組み合わされたハンドルグリップを特徴とし、改良された固定具打ち込み工具構造を提供することであり、この組み合わされたハンドルグリップは、既存の工具のハンドルに、グリップの快適性および付着性を加える。
【０００８】
本発明の関連した目的は、組立コストを削減するために、一体化の固定具マガジンを備え、上述されているような人間工学的なグリップを提供することである。
【０００９】
本発明のもう一つの目的は、工具のどちらの側部にも取り付けを可能で、取り外し可能なベルトフックを特徴とし、改良された固定具打ち込み工具を提供することである。
【００１０】
【課題を解決するための手段】
工具の既存のハンドル上に適合する相補的な覆いグリップまたは人間工学的なグリップを特徴とする本発明の固定具打ち込み工具により、上述した目的は、満足され、または、越えられる。人間工学的なグリップおよびマガジンは、ハンドルを覆う一対のクラムシェル形状であることが好ましい。人間工学的なハンドルの把持を容易にするために、弾力性ある材料が、人間工学的なグリップの開口部を通して突出するように、弾力性のあるグリップ部は、ハンドルと人間工学的なグリップの間に設置され備えられる。また、クラムシェル形状部は、指定された固定具を使用すること無く、工具に固定される。右利きおよび左利きの作業者による使用のために、工具のどちら側にも取り外し可能に固定される選択的なベルトフックが提供され、この選択的ベルトフックは、特に空間を巧みに扱うような作業現場では、大いに需要がある。
【００１１】
さらに、本発明は、固定具駆動部と、この固定具駆動部へ接続されたハンドルとを有するハウジングを具備する固定具打ち込み工具を提供する。人間工学的なグリップおよびマガジンが、各クラムシェル形状で一体化されるように、ハンドルを覆う人間工学的なグリップを形成し、固定具マガジンを形成する一対のクラムシェル形状が提供される。クラムシェル形状部は、特別な固定具を使用すること無しに、終端キャップにより工具に固定される。ベルトフックは、工具のどちら側にも取り外し可能に取り付け可能である。
【００１２】
【発明の実施の形態】
図１および図２を参照すると、本発明の使用に適している形式の固定具打ち込み工具は、全体的に、１０で示されており、気体式動力工具として図示されている。しかし、本発明は、適用に応じて、公知である燃焼式、電気式、火薬式工具を含む、他の形式の固定具用動力工具に使用されても良い。下端部に鼻部材１６を備える固定具駆動主要部１４を有するハウジング１２は、工具１０に含まれる。ハンドル１８は、固定具駆動部１４から後方へ突出している。
【００１３】
駆動側終端部２２および固定具の取り込み側終端部２４を有する固定具マガジン２０は、鼻部材１６とハンドル１８の後方終端部２６との間を結合する。固定具マガジン２０は、終端キャップ３２の細長い穴３０を通して最初に通過する固定具の少なくとも一つの直線的な帯（図示されていない）を、滑動可能に受け入れるように形成され、全体的に”Ｃ”形状の溝材２８（図２に最もよく示されている）を、有することは公知である。マガジン２０内では、固定具は、固定具を鼻部材１６の方へ駆り立てる付勢力を受け、往復運動する打ち込みブレードにより連続して衝突され、製作品に打ち込まれる。固定具を打ち込むために、使用者は、ハンドル１８の下側部３６に設置される引き金３４を引く。
【００１４】
好適な実施例では、終端キャップ３２は、ハンドル１８の後方終端部２６とマガジン２０の後方または取り込み側終端部２４との間の接合点を提供する。また、図示されている実施例は、気体式工具であり、終端キャップ３２は、圧縮空気入り口３８を備え、この圧縮空気入り口は、公知である圧縮空気ホースの素早い連結が可能な終端部（図示されていない）を、受け入れるように形成されている。
【００１５】
図２を参照すると、図１の工具１０は、分解された方法で図示されており、工具は、一対のクラムシェル形状部４０，４２を特徴することが理解され、この一対のクラムシェル形状部は、人間工学的なグリップおよびマガジンが、各クラムシェル形状部で一体化されるように、ハンドル１８を覆う人間工学的なグリップ４４を形成し、固定具マガジン２０を形成する。クラムシェル形状部４０，４２は、実質的に互いに鏡像体であり、図示されている実施例では、クラムシェル形状部４０はグリップ４４およびマガジン２０の左側部を示し、クラムシェル形状部４２は右側部を示していることが理解される。また、各クラムシェル形状部４０，４２は、グリップ部４６およびマガジン部４８を有していることが理解される。
【００１６】
好ましくは、各クラムシェル形状部４０，４２の一体化構造を保持するために、全体的に垂直に延在する前方のサポート５０は、グリップ部４６をマガジン２０の固定具駆動側終端部２２に結合する。同様に、全体的に垂直に延在する後方のサポート５２は、ハンドル１８の後方終端部２６とマガジン２０の挿入側終端部２４とを結合する。
【００１７】
好適な実施例においては、各グリップ部４６は、ハンドル１８の一部分を覆うように構成配置される。さらに、各グリップ部４６は、工具１０を利用する使用者のグリップの快適性を改良するために、少なくとも一つの人間工学的な構成部５４を備えることが好ましい。クラムシェル形状部４０，４２は、好ましくは、射出成形または熱成形プラスチック、または、もとの金属ハウジングのハンドル１８よりも、より快適に把持する他の工業用材料で造られる。適当なプラスチックは、ＡＢＳ、ＰＶＣ、ＨＤＰＥなどであり、用途に応じ、変えても良い。人間工学的な構成部５４は、相対的に弾力性がある、または、ラバーのような把持するときに容易に圧縮される材料のパッドのような部品であり、各々は、各グリップ部４６の対応する開口部または細長い穴５６と通して、少なくとも部分的に突出するように形成されている。図示されているように、そのような細長い穴５６の一つは、各グリップ部４６に備えられるが、しかし、細長い穴の数や場所は、用途に応じ、変えても良い。組立時に、パッドの一部分が細長い穴５６から突出するように、パッド５４は、グリップ部４６の裏面に固定されるか、または、ハンドル１８上に設置される。
【００１８】
本発明のもう一つの重要な特徴は、クラムシェル形状部４０，４２が、工具にクラムシェル形状部を固定するために特別に提供された、特殊なまたは指定された固定具を使用すること無しに、工具１０に固定されることである。このために、各クラムシェル形状部４０，４２の固定具駆動側終端部２２は、舌部５８を備え、この舌部は、固定具駆動部１４の凹み部６０に摩擦係合する。組立時に、各クラムシェル形状部４０，４２の隣接する舌部５８は、凹み部６０でスナップ式係合を形成する。
【００１９】
各クラムシェル形状部の対向する終端部で、後方へ突出する少なくとも一つの耳部６２は、終端キャップ３２のポケット６４（図４によく示されている）と適合して係合するように構成配置されている。舌部５８と同様に、組立時に、隣接するクラムシェル形状部４０，４２の耳部６２も、互いに隣接する。指定された固定具無しで、工具１０にクラムシェル形状部４０，４２をさらに安定して固定させるために、各クラムシェル形状部４０，４２は、溝材２８の一部分を受け入れるように形成される釘案内凹み部６６を形成する。好ましくは、溝材２８の半分が各凹み部６６に収容される。凹み部６６での溝材２８の係合は、垂直および水平の両平面における、二つのクラムシェル形状部４０，４２のための設置および整列位置を提供する。組立は、ハンドル１８のネジ穴６８に受け入れられるネジ式固定具（図示されていない）を使用し、ハンドル１８に終端キャップ３２を固定することにより完成する。この締め付け作業は、工具１０に、クラムシェル形状部４０，４２を共に固定する。ネジ式固定具は、２つのクラムシェル形状部４０，４２をお互いに対して固定するために提供されても良い。
【００２０】
本発明のクラムシェル形状部４０，４２の設備は、全体的に円筒状で比較的堅い材料で作られた既存のハンドル１８を有する工具のグリップの快適性を向上する為の、容易な方法を提供する。クラムシェル形状部は、既存のハンドル上を覆うように形成され、好ましくは、容易な把持のために比較的柔軟なプラスチックで作られる。さらにパッドのような人間工学的な構成部５４は、覆いグリップ部分４６よりさらに弾力性があり、使用者による増大された二段階のグリップ性能を提供する。同時に、工具１０の組立は、追加の金属ブラケットおよび固定具の必要性を排除するような単体構造で、グリップ部４６とマガジンとを結合するように、クラムシェル形状部４０，４２内にマガジン２０を組み込むことにより、簡素化される。
【００２１】
図３および図４を参照し、本工具１０のもう一つの特徴は、全体的に７０で示されている独立したベルトフックであり、この独立したベルトフックは、工具から取り外し可能であり、また、右利きおよび左利きの使用者に適応するのと同様に、多様な作業上の要求に、より良く適応するために、工具のどちらの側部にも簡単に取り付けられる。さらに、ベルトフック７０は、好ましくは、Ｕ形状の環状の取っ手部分７２および２つの脚部７４を形成する、重さのあるワイヤーまたは堅い棒状の材料の単体部品で作られる。各脚部７４は、Ｕ形状部分により区画された平面の法線方向に向かい、脚部７８を形成する第一の９０度曲げ部７６を有する。第二の９０度曲がり部８０は、環状の取っ手７２により区画される平面と平行に延在する部分８２を形成する。また、各脚部分８２は、外側へ広がる曲げ終端部８４を有する。
【００２２】
脚部分８２および曲げ終端部８４は、終端キャップ３２の各側部に設置されたフック用の細長い穴８６内に挿入されるように形成され、この終端キャップ３２は、２つのフック用の細長い穴の間に設置された固定具用の細長い穴３０を有する。図４に示されているように、終端キャップ３２は、曲げ終端部８４を収容するための各フック用の細長い穴８６の後ろ側に延在する空洞部８８を備える。フック用の細長い穴８６は、二つの脚部７４の間が圧縮されていない自然長よりも短く、ゆえに、フック用の細長い穴へ曲げ終端部８４を挿入するために、脚部は、矢印”Ｃ”により指示される方向に共に圧縮されなければならない。ベルトフック７０の剛性は、この圧縮に対抗して付勢する作用を引き起こす。
【００２３】
矢印Ｉにより指示された方向のフック用の細長い穴への挿入、そして、それに続く使用者による圧縮力の解放時に、付勢作用は、脚部７４を離すよう強制し、終端キャップ３２とフック７０とをしっかりと固定された関係にする。フック７０は、付勢力と曲げ終端部８４との組み合わせにより、終端キャップ３２に固定され、この組み合わせは、フックが工具から直線的に引き抜かれることを防止する。ベルトフック７０は、脚部７４を共に再圧縮し、終端キャップの細長い穴８６から、部分８２および曲げ終端部８４を引き抜くことにより、終端キャップから容易に取り外し可能であることが理解されうる。また、ベルトフック７０は、終端キャップ３２のどちらの側部にも容易に取り付け可能であり、同様に、工具のどちらの側部にも容易に取り付け可能であることが理解される。
【００２４】
図２を参照して、細長い穴９０が、クラムシェル形状部４０，４２の一部分に、代わりに提供されても良いことが理解される。細長い穴９０は、好ましくは、フック用の細長い穴８６と同様の寸法にされ、工具１０のどちらの側部においてもベルトフック７０を収容する。ベルトフック７０および細長い穴８６，８８を使用することにより、使用者は、フックの干渉なしに、窮屈な作業空間で、容易に工具１０を使用可能である。作業者が、工具１０を、自身のベルトまたは他の場所に支持または吊り下げることを必要とするときに、この持ち運び可能で取り外し可能なベルトフック７０は、要望通りに、工具１０をしっかりと吊り下げるために、選択された細長い穴８６，８８に容易に取り付けられる。使用者が、締結作業を再開したいときは、ベルトフック７０は、脚部７４を共に押し込み、細長い穴８６，８８からフックを引き抜くことにより、容易に取り外される。
【００２５】
本発明のモジュール式構造の固定具打ち込み工具の特定の実施例を開示したが、より広い態様および特許請求の範囲における発明から逸脱しない変形および変更が可能であることは、当業者により理解される。
【図面の簡単な説明】
【図１】本発明の使用に適している工具組立体の斜視図である。
【図２】図１の工具の分解斜視図である。
【図３】選択的ベルトフックと共に示されている図１の工具の部分分解斜視図である。
【図４】図３の構造の反転された斜視組立図面である。
【符号の説明】
１４…固定具駆動部
１８…ハンドル
３２…終端キャップ
４０…クラムシェル形状部
４２…クラムシェル形状部
４４…人間工学的なグリップ
７０…ベルトフック
【図１】
0004302992.tif 000002
【図２】
0004302992.tif 000003
【図３】
0004302992.tif 000004
【図４】
0004302992.tif 000005